(57)【要約】【課題】  より一層簡易な構造でカバーの押圧及び押圧解除の操作によりロールを正転方向に回転移動させることができるようにし、汎用性の向上を図る。【解決手段】  ロール移動手段１０を、カバー５の前端縁５ａ側の内側に設けられ、直状で弾性変形可能な毛１２が、その基端１２ａがカバー５の後端側に位置し先端１２ｂがカバー５の前端縁５ａ側に位置するように多数集合させられて形成され、カバー５を支持棒４に支持したロールＷ側に押圧したとき先端１２ｂ側がロールＷに当接してこれらの毛１２の弾性力により屈曲し、押圧解除したとき元に戻るブラシ１１を備えて構成した。ブラシ１１は、各毛１２の基端１２ａ側が植設さｊｈｇれカバー５の前端縁５ａ側の内側に止着手段により止着される基板１５に設け、その前端縁１６を切断刃１７として、カバー５の前端縁５ａより前側に突設させた。【選択図】図３
2020116031.tif 000002
【特許請求の範囲】
【請求項１】
壁面に付設される背板及び該背板から前側に起立する起立板を備えた基台と、該基台の起立板に設けられ帯状のトイレットペーパを巻回したロールの中心孔に挿入されて該ロールを構成するトイレットペーパの先端側を上側から前方に向けて引出し可能な正転方向に該ロールを回転可能に支持する支持棒と、該支持棒の長手方向に平行な軸線を中心に後端部が回動可能に設けられ該支持棒に支持したロールの上側を覆うカバーと、該カバーを上記支持棒に支持したロール側に押圧するとともに押圧解除することにより該ロールを正転方向に回転移動させるロール移動手段とを備えたトイレットペーパロールホルダにおいて、
上記ロール移動手段を、上記カバーの前端縁側の内側に設けられ、直状で弾性変形可能な毛が、その基端が上記カバーの後端側に位置し先端が上記カバーの前端側に位置するように多数集合させられて形成され、上記カバーを上記支持棒に支持したロール側に押圧したとき先端側が該ロールに当接してこれらの毛の弾性力により屈曲し、押圧解除したとき元に戻るブラシを備えて構成したことを特徴とするトイレットペーパロールホルダ。
【請求項２】
上記カバーの前端縁側の上面に、手指で把持可能なノブを設けたことを特徴とする請求項１記載のトイレットペーパロールホルダ。
【請求項３】
上記ブラシを、該ブラシの上記カバーの幅方向の長さを上記カバーの幅方向の長さより短くして形成し、上記カバーの幅方向中央に設けたことを特徴とする請求項１または２記載のトイレットペーパロールホルダ。
【請求項４】
上記ブラシを、該ブラシの上記カバーの幅方向の長さを上記カバーの幅方向の長さより短くして形成し、上記カバーの幅方向に沿って複数設けたことを特徴とする請求項１乃至３何れかに記載のトイレットペーパロールホルダ。
【請求項５】
上記ブラシを、上記カバーの幅方向に沿う長辺と、各毛の長手方向及び上記幅方向に直交する短辺とを備えた略直方体状に形成したことを特徴とする請求項１乃至４何れかに記載のトイレットペーパロールホルダ。
【請求項６】
上記ブラシを、各毛の基端側が植設され上記カバーの前端縁側の内側に止着手段により止着される基板に設けたことを特徴とする請求項１乃至５何れかに記載のトイレットペーパロールホルダ。
【請求項７】
上記基板を、その幅方向長さを上記カバーの幅方向の長さと略同じ長さにして形成し、その前端縁をトイレットペーパを切断する切断刃として形成し、該基板の前端縁を上記カバーの前端縁より前側に突設させて止着したことを特徴とする請求項６記載のトイレットペーパロールホルダ。
【請求項８】
壁面に付設される背板及び該背板から前側に起立する起立板を備えた基台と、該基台の起立板に設けられ帯状のトイレットペーパを巻回したロールの中心孔に挿入されて該ロールを構成するトイレットペーパの先端側を上側から前方に向けて引出し可能な正転方向に該ロールを回転可能に支持する支持棒と、該支持棒の長手方向に平行な軸線を中心に後端部が回動可能に設けられ該支持棒に支持したロールの上側を覆うカバーとを備えたトイレットペーパロールホルダに取り付けられ、上記カバーを上記支持棒に支持したロール側に押圧するとともに押圧解除することにより該ロールを正転方向に回転移動させるロール移動アタッチメントにおいて、
上記請求項６または７記載のブラシ及び基板で構成されたブラシ部材を備えたことを特徴とするロール移動アタッチメント。
【請求項９】
上記カバーの前端縁側の上面に止着手段により止着され手指で把持可能なノブで構成されたノブ部材を備えたことを特徴とする請求項８記載のロール移動アタッチメント。
【発明の詳細な説明】
【技術分野】
【０００１】
本発明は、帯状のトイレペーパを巻回したロールを回転可能に支持してトイレットペーパを引出し可能に支持するトイレットペーパロールホルダに係り、特に、トイレットペーパの先端側が引込んで引出しにくくなっても、ロールの上側を覆う回動可能なカバーを片手で操作することにより、容易にトイレットペーパの先端側を引出し可能にしたトイレットペーパロールホルダ及びロール移動アタッチメントに関する。
【背景技術】
【０００２】
従来、トイレットペーパロールホルダとしては、例えば、特開２０１６−１１６８２２号公報（特許文献１）に掲載されたものが知られている。図８に示すように、このトイレットペーパロールホルダＨａは、帯状のトイレットペーパＳを巻回し中心孔Ｗｈを有したロールＷ用のものであり、トイレの壁面に付設される基台１００に、ロールＷの中心孔Ｗｈに挿入されてロールＷを構成するトイレットペーパＳの先端Ｓａ側を上側から前方に向けて引出し可能な正転方向ＲにロールＷを回転可能に支持する支持棒１０１と、基台１００に設けられるとともに支持棒１０１の長手方向に沿う軸線Ｑを中心に後端部が回動可能に設けられ支持棒１０１に支持したロールＷの上側を覆うカバー１０２と、このカバー１０２を支持棒１０１に支持したロールＷ側に手で押圧するとともに手を離して押圧解除することによりロールＷを正転方向Ｒに回転移動させるロール移動手段１０３とを備えている。
【０００３】
このロール移動手段１０３は、カバー１０２の前端縁側の内側のカバー１０２の幅方向に沿って延びる巻き込み板１０４を備えている。巻き込み板１０４は、その先端がロールＷの表面に当接可能にその基端がカバー１０２の幅方向に沿う回動軸１０５に回動可能に軸支され、回動によりその先端がロールＷから離間するカバー１０２の後端側からロールＷの表面に当接しながらカバー１０２の前側の所定位置に移動可能になっているとともに、カバー１０２の先端部と巻き込み板１０４の先端側との間に架設された引っ張りコイルスプリング１０６により常時前側に付勢されている。そして、図８（ａ）に示すように、カバー１０２をロールＷ側に手で押圧するとコイルスプリング１０６の付勢力に抗して巻き込み板１０４がカバー１０２の後端側に回動移動し、図８（ｂ）に示すように、手を離して押圧解除するとコイルスプリング１０６の付勢力により巻き込み板１０４がカバー１０２の前側に回動移動し、この過程で巻き込み板１０４の先端がロールＷを正転方向に回動させる。このため、トイレットペーパＳの先端Ｓａ側が引込んで引出しにくくなっても、カバー１０２を片手で押圧するだけで、容易にトイレットペーパＳの先端Ｓａ側を引出すことができるようになり、トイレットペーパＳの取出し操作性を極めて良くすることができる。
【先行技術文献】
【特許文献】
【０００４】
【特許文献１】特開２０１６−１１６８２２号公報
【発明の概要】
【発明が解決しようとする課題】
【０００５】
ところで、上記従来のトイレットペーパロールホルダＨａのロール移動手段１０３にあっては、巻き込み板１０４を回動軸１０５に軸支するとともにコイルスプリング１０６で付勢するので、それだけ構造が複雑になっているという問題があった。
本発明は上記の問題点に鑑みて為されたもので、より一層簡易な構造でカバーの押圧及び押圧解除の操作によりロールを正転方向に回転移動させることができるようにし、汎用性の向上を図ったトイレットペーパロールホルダ及びロール移動アタッチメントを提供することを目的とする。
【課題を解決するための手段】
【０００６】
上記の目的を達成するための本発明のトイレットペーパロールホルダは、壁面に付設される背板及び該背板から前側に起立する起立板を備えた基台と、該基台の起立板に設けられ帯状のトイレットペーパを巻回したロールの中心孔に挿入されて該ロールを構成するトイレットペーパの先端側を上側から前方に向けて引出し可能な正転方向に該ロールを回転可能に支持する支持棒と、該支持棒の長手方向に平行な軸線を中心に後端部が回動可能に設けられ該支持棒に支持したロールの上側を覆うカバーと、該カバーを上記支持棒に支持したロール側に押圧するとともに押圧解除することにより該ロールを正転方向に回転移動させるロール移動手段とを備えたトイレットペーパロールホルダにおいて、
上記ロール移動手段を、上記カバーの前端縁側の内側に設けられ、直状で弾性変形可能な毛が、その基端が上記カバーの後端側に位置し先端が上記カバーの前端側に位置するように多数集合させられて形成され、上記カバーを上記支持棒に支持したロール側に押圧したとき先端側が該ロールに当接してこれらの毛の弾性力により屈曲し、押圧解除したとき元に戻るブラシを備えて構成している。
【０００７】
これにより、カバーをロール側に例えば手で押圧すると、ブラシの先端側がロール表面に当接して毛がトイレットペーパの表面に係止するとともに、ブラシは毛の基端がカバーの後端側に位置し先端がカバーの前端縁側に位置するように毛が多数集合させられて形成されているので、ブラシはＵ字状に撓んで屈曲する。そのため、この撓みによる毛の弾性力により、ロールを正転方向に回転させる力が生じ、ロールが僅かながら正回転するようになる。手を離して押圧を解除すると、ブラシは元に戻る。この場合、１回当たりのブラシの撓みは僅かなので、ロールの正転は僅かであるが、カバーを叩くようにしてカバーの押圧及び押圧解除を繰り返し行うようにすると、ロールは僅かずつでも正転していく。このため、トイレットペーパの先端側が引込んで引出しにくくなっても、カバーを片手で押圧及び押圧解除するだけで、容易にトイレットペーパの先端側を引出すことができるようになり、操作性が極めてよくなる。そして、ロール移動を、弾性変形可能なブラシの機能だけで実現できるので、従来に比較して構造が極めて簡単になり、安価に提供でき、汎用性を向上させることができる。
【０００８】
そして、必要に応じ、上記カバーの前端縁側の上面に、手指で把持可能なノブを設けた構成としている。
これにより、このノブを利用してカバーによる押圧及び押圧解除を行うことができる。即ち、例えば、ノブを手指で把持してカバーを持ち上げ、ノブを持ったままカバーを押圧すると、持ち上げた際に、一旦、ブラシがロールから離間しその移動ストロークが大きくなるとともに、ブラシに生じロールを正転方向に回転させる力を大きくすることができるので、それだけ、確実にロールの回転を行わせることができるようになる。カバーの押圧及び押圧解除を繰り返し行うようにすると、スピーディーにロールの回転を行わせることができる。この場合、ノブを持ってカバーの押圧及び押圧解除を行うことができるので、操作性が極めてよくなる。
また、例えば、ノブを手指で把持してカバーを持ち上げてノブを離すと、カバーが落下してブラシの先端側がロール表面に衝止するとともにカバーがその慣性力によりロール側に押圧されてブラシが撓み、このブラシの衝撃力と毛の撓みによる弾性力により、ロールを正転方向に回転させることができる。衝撃力が加わるので、ブラシに生じロールを正転方向に回転させる力を大きくすることができ、確実にロールの回転を行わせることができるようになる。カバーを持ち上げて離すことを繰り返し行うようにすると、スピーディーにロールの回転を行わせることができる。この場合、ノブを把持して操作を行うことができるので、操作性が極めてよくなる。
【０００９】
また、必要に応じ、上記ブラシを、該ブラシの上記カバーの幅方向の長さを上記カバーの幅方向の長さより短くして形成し、上記カバーの幅方向中央に設けた構成としている。ブラシをカバーの幅方向に沿ってカバーの幅方向長さ分設ける場合に比較して、ブラシの幅が少なくて済むので、より一層安価に作成することができる。
更に、必要に応じ、上記ブラシを、該ブラシの上記カバーの幅方向の長さを上記カバーの幅方向の長さより短くして形成し、上記カバーの幅方向に沿って複数設けた構成としている。ブラシをカバーの幅方向に沿ってカバーの幅方向長さ分設ける場合に比較して、幅が少なくて済むので、より一層安価に作成することができる。また、ロールを幅方向に均一に押圧することができる。
【００１０】
更にまた、必要に応じ、上記ブラシを、上記カバーの幅方向に沿う長辺と、各毛の長手方向及び上記幅方向に直交する短辺とを備えた略直方体状に形成した構成としている。押圧力を確実に発生させることができる。
【００１１】
また、必要に応じ、上記ブラシを、各毛の基端側が植設され上記カバーの前端縁側の内側に止着手段により止着される基板に設けた構成としている。カバーに直接毛を植設しても良いが、基板に植設するので、製造が容易になる。止着手段としては、粘着テープ，接着剤，ボルトナット等適宜の手段を採用することができる。カバーに後付できるので、製造が容易になる。
【００１２】
この場合、上記基板を、その幅方向長さを上記カバーの幅方向の長さと略同じ長さにして形成し、その前端縁をトイレットペーパを切断する切断刃として形成し、該基板の前端縁を上記カバーの前端縁より前側に突設させて止着したことが有効である。カバーの前端縁を切断刃で構成しても良いが、切断刃を別途作成するので作成が容易になる。
【００１３】
そしてまた、上記課題を解決するための本発明のロール移動アタッチメントは、壁面に付設される背板及び該背板から前側に起立する起立板を備えた基台と、該基台の起立板に設けられ帯状のトイレットペーパを巻回したロールの中心孔に挿入されて該ロールを構成するトイレットペーパの先端側を上側から前方に向けて引出し可能な正転方向に該ロールを回転可能に支持する支持棒と、該支持棒の長手方向に平行な軸線を中心に後端部が回動可能に設けられ該支持棒に支持したロールの上側を覆うカバーとを備えたトイレットペーパロールホルダに取り付けられ、上記カバーを上記支持棒に支持したロール側に手で押圧するとともに手を離して押圧解除することにより該ロールを正転方向に回転移動させるロール移動アタッチメントにおいて、上記のブラシ及び基板で構成されたブラシ部材を備えて構成している。
【００１４】
これにより、ロール移動アタッチメントを別途作成して、市販の用に供することができる。そのため、現在市販されている既存のトイレットペーパロールホルダにブラシ部材を止着するだけで良いので、後付で取り付けることができることから、汎用性を大幅に向上させることができる。
このブラシ部材において、上記基板を、その幅方向長さを上記カバーの幅方向の長さと略同じ長さにして形成し、その前端縁をトイレットペーパを切断する切断刃として形成し、該基板の前端縁を上記カバーの前端縁より前側に突設させて止着するようにした場合には、既存のトイレットペーパロールホルダに取り付けた場合、ブラシがロールに当接すると、ブラシの長さ分、カバーが上側に持ち上がり、カバーの前端縁でトイレットペーパの切断がやりにくくなるが、ブラシ部材の基板の前端縁は切断刃として形成されてカバーの前端縁より前側に突設させられるので、トイレットペーパの切断がやりにくくなることがなく、機能性を保持することができる。
【００１５】
そして、必要に応じ、上記カバーの前端縁側の上面に止着手段により止着され手指で把持可能なノブで構成されたノブ部材を備えた構成としている。これにより、ノブ部材を含むロール移動アタッチメントを別途作成して、市販の用に供することができる。そのため、現在市販されている既存のトイレットペーパロールホルダに止着するだけで良いので、後付で取り付けることができることから、汎用性を大幅に向上させることができる。ノブの作用，効果については上記と同様である。
【発明の効果】
【００１６】
本発明によれば、ロール移動を、弾性変形可能なブラシの機能だけで実現できるので、従来に比較して構造が極めて簡単になり、安価に提供でき、汎用性を向上させることができる。
【図面の簡単な説明】
【００１７】
【図１】本発明の実施の形態に係るトイレットペーパロールホルダ及びロール移動アタッチメントを示す斜視図である。
【図２】本発明の実施の形態に係るトイレットペーパロールホルダにおいて、トイレットペーパのロールを装着した状態（カバーから手を離して押圧解除した状態）を示す側面断面図である。
【図３】本発明の実施の形態に係るトイレットペーパロールホルダにおいて、カバーをノブを把持してロール側に押圧した状態（実線）を、カバーをノブを把持して持ち上げた状態（二点差線）とともに示す側面断面図である。
【図４】本発明の実施の形態に係るトイレットペーパロールホルダにおいて、カバーを手でロール側に押圧した状態（実線）を、押圧解除した状態（二点差線）とともに示す側面断面図である。
【図５】本発明の実施の形態に係るトイレットペーパロールホルダにおいて、ブラシの取付けの別の例を示す正面断面図である。
【図６】本発明の実施の形態に係るトイレットペーパロールホルダにおいて、ブラシの変形例を示す部分斜視図である。
【図７】本発明の実施の形態に係るトイレットペーパロールホルダの変形例を示す図である。
【図８】従来のトイレットペーパロールホルダの一例を示し、（ａ）はカバーをロール側に手で押圧した状態を示し、（ｂ）はカバーから手を離して押圧解除した状態を示す側面断面図である。
【発明を実施するための形態】
【００１８】
以下、添付図面に基づいて本発明の実施の形態に係るトイレットペーパロールホルダについて詳細に説明する。
図１乃至図３に示すように、実施の形態に係るトイレットペーパロールホルダＨは、帯状のトイレットペーパＳを巻回してなるロールＷを支持するものである。トイレットペーパＳは、中心孔Ｗｈを有した円筒状の芯材に巻回されている。一般に、ロールＷは、ＪＩＳ規格でその大きさや形状等が定められており、紙幅が１１４ｍｍ±２ｍｍ、芯材の内径（中心孔Ｗｈの内径）が３８ｍｍ±１ｍｍ、全体の直径が１２０ｍｍ以下に規定されている。トイレットペーパＳの長さは、その材質や厚さによって異なり、２７．５ｍ〜１００ｍ程度である。
【００１９】
実施の形態に係るトイレットペーパロールホルダＨの基本的構成は、樹脂製の基台１と、樹脂製の支持棒４と、樹脂製のカバー５と、ロール移動手段１０とを備えて構成されている。実施の形態では、基台１，支持棒４及びカバー５を備えた市販の周知のホルダに、本発明の実施の形態に係るロール移動アタッチメントＴを取り付けて構成されている。
【００２０】
基台１は、壁面に付設される背板２と、背板２の左右端から前側に起立する一対の起立板３とを備えて構成されている。支持棒４は、基台１の各起立板３に夫々設けられており、ロールＷの中心孔Ｗｈに挿入されてロールＷを構成するトイレットペーパＳの先端Ｓａ側を上側から前方に向けて引出し可能な正転方向ＲにロールＷを回転可能に支持するものである。各支持棒４は、対応する起立板３の内部に収納される収納位置（図示せず）と、収納位置から突出してロールＷを支持する支持位置に回動可能に設けられており、図示外の内装のスプリングにより常時支持位置に位置させられるように付勢されている。支持棒４は、ロールＷの幅よりも短く、その突出長さは２０ｍｍ程度のものである。これにより、支持棒４を外すことなく、ロールＷを下側から支持棒４に当接させて支持棒４を押し上げることにより、スプリングの付勢力により支持棒４を収納位置に位置させてロールＷを起立板３間であって中心孔Ｗｈが支持棒４に対応する位置に位置させ、スプリングの付勢力により支持棒４を回動させて中心孔Ｗｈに挿入せしめ、ロールＷを支持棒４に支持させることができるようにしてある。
【００２１】
カバー５は、支持棒４の長手方向に沿う軸線（中心軸Ｑ）を中心に後端部が起立板３に回動可能に設けられ支持棒４に支持したロールＷの上側を覆うものである。前端縁５ａが切断刃として構成されているが、本実施の形態では、後述のようにこの前端縁５ａの切断刃は機能しない。
【００２２】
ロール移動手段１０は、ブラシ１１を備えて構成されている。ブラシ１１は、カバー５の前端縁５ａ側の内側に設けられており、直状で弾性変形可能な毛１２が、その基端１２ａがカバー５の後端側に位置し先端１２ｂがカバー５の前端縁５ａ側に位置するように多数集合させられて形成されて、カバー５を支持棒４に支持したロールＷ側に押圧したとき先端側がロールＷに当接してこれらの毛１２の弾性力により屈曲し、押圧解除したとき元に戻るよう構成されている。各毛１２の長手方向は、略揃えられて集合させられ、カバー５の内面に対して所定角度傾斜して設けられている。カバー５の裏面に対する毛１２の角度は適宜に設定される。
【００２３】
具体的には、図２に示すように、ブラシ１１は、支持棒４に支持したロールＷの中心Ｐを通る垂直線Ｖよりも前側に位置させる。また、ロールＷを装着しない状態において、カバー５の中心軸Ｑを中心とする各毛１２の基端１２ａの回動軌跡円の半径をｒ１、カバー５の回動中心Ｑを中心とする各毛１２の先端１２ｂの回動軌跡円の半径をｒ２としたとき、ｒ１＜ｒ２となるようにする。図２では、一番内側に位置する毛１２についての半径ｒ１，ｒ２を示している。他の毛１２も同様である。
【００２４】
毛１２は、例えば、ナイロン，ポリブチレン，ポリプロピレン等の適宜の樹脂の材質のものが用いられる。毛１２の太さ（一般径）をＤ、毛１２の長さをＬとしたとき、例えば、０．１ｍｍ≦Ｄ≦０．５ｍｍ、７ｍｍ≦Ｌ≦２０ｍｍ、好ましくは、０．１５ｍｍ≦Ｄ≦０．３０ｍｍのものが用いられる。毛先は、先端１２ｂを例えば０．０２ｍｍの先端先細り形状にし、あるいは、先端１２ｂを丸めた所謂ラウンド状にする等、適宜の処理をする。ブラシ１１は、均一な長さの毛１２を集合させ、あるいは、長い毛１２と短い毛１２を混在させる等して形成して良い。毛１２の太さや、毛１２の先端１２ｂの形状についても、均一にしあるいは種々混在させるようにして良い。
【００２５】
また、ブラシ１１は、図１に示すように、カバー５の幅方向に沿う長辺ａと、各毛１２の長手方向及び幅方向に直交する短辺ｂとを備えた略直方体状に形成されている。更に、ブラシ１１は、ブラシ１１のカバー５の幅方向に沿う長さ（長辺ａ）をカバー５の幅方向の長さＥより短くして形成されており、カバー５の幅方向中央に設けられている。
【００２６】
更にまた、ブラシ１１は、各毛１２の基端１２ａ側が植設されカバー５の前端縁５ａ側の内側に止着手段（図示せず）により止着される基板１５に設けられている。ブラシ１１の毛１２を基板１５に植設するので、ブラシ１１の毛１２をカバー５に直接植設する場合に比較して、製造が容易になる。基板１５は、その幅方向長さがカバー５の幅方向に長さＥと略同じ長さにして形成され、その前端縁１６はトイレットペーパＳを切断する鋸刃状の切断刃１７として形成されている。そして、基板１５の前端縁１６は、カバー５の前端縁５ａより前側に突設させて止着されている。止着手段としては、粘着テープ，接着剤，ボルト，ナット等適宜の手段を採用することができる。
また、カバー５の前端縁５ａ側の上面であって、幅方向一端側には、手指で把持可能なノブ１８が突設されている。ノブ１８は、接着剤やネジ手段等の止着手段（図示せず）によりカバー５に止着されている。
【００２７】
次に、本発明の実施の形態に係るロール移動アタッチメントＴについて説明する。この実施の形態に係るロール移動アタッチメントＴは、ブラシ部材Ｔａとノブ部材Ｔｂとを備えてなる。ブラシ部材Ｔａは、上記のブラシ１１及び基板１５で構成されている。基板１５のカバー５に対面する面には、予め、止着手段としての粘着剤を塗布しておくことができる。取付け前は、粘着剤にシートを付着させて被覆保護しておくことができる。取付け時に、シートを剥がして粘着剤を露出させて、この部位をカバー５の前端縁５ａ側の内側に止着する。また、ノブ部材Ｔｂは、カバー５の前端縁５ａ側の上面に止着手段により止着され手指で把持可能なノブ１８から構成されている。ノブ１８のカバー５に対面する面には、予め、止着手段としての粘着剤を塗布しておくことができる。取付け前は、粘着剤にシートを付着させて被覆保護しておくことができる。取付け時に、シートを剥がして粘着剤を露出させて、この部位をカバー５の前端縁５ａ側の上面に止着する。
これにより、ロール移動アタッチメントＴを別途作成して、市販の用に供することができる。そのため、現在市販されている既存のトイレットペーパロールホルダに止着するだけで良いので、後付で取り付けることができることから、汎用性を大幅に向上させることができる。
【００２８】
従って、この実施の形態に係るトイレットペーパロールホルダＨを用いるときは、支持棒４にロールＷを装着し、カバー５でロールＷを覆う。そして、トイレットペーパＳの先端Ｓａ側を上側から前方に向けて手で引出し、所望の長さのところで切断刃１７で切断して使用の用に供する。この場合、カバー５でロールＷを覆うと、ブラシ１１がロールＷに当接し、ブラシ１１の長さ分、カバー５が上側に持ち上がる。もし、基板１５の前端縁１６がカバー５の内側にあると、カバー５の前端縁５ａとロールＷの表面との間隔があきすぎて、カバー５の前端縁５ａでのトイレットペーパＳの切断がやりにくくなるが、ロール移動アタッチメントＴの基板１５の前端縁１６は切断刃１７として形成されてカバー５の前端縁５ａより前側に突設させられるので、切断刃１７とロールＷの表面との間隔が小さくなり、そのため、トイレットペーパＳの切断がやりにくくなることがなく、機能性を保持することができる。
【００２９】
そして、このトイレットペーパロールホルダＨの使用において、トイレットペーパＳの先端Ｓａ側がロールＷの奥に引込んで引出しにくくなるような場合には、カバー５を片手で繰り返し押圧及び押圧解除する。この際には、図３に示すように、例えば、ノブ１８を手指で把持してカバー５を持ち上げ、ノブ１８を持ったままカバー５をロールＷ側に押圧すると、ブラシ１１の先端１２ｂ側がロールＷ表面に当接して毛１２がトイレットペーパＳの表面に係止するとともに、ブラシ１１は毛１２の基端１２ａがカバー５の後端側に位置し先端１２ｂがカバー５の前端縁５ａ側に位置するように毛１２が多数集合させられて形成されているので、ブラシ１１はＵ字状に撓んで屈曲する。そのため、この撓みによる毛１２の弾性力により、ロールＷを正転方向Ｒに回転させる力が生じ、ロールＷが僅かながら正回転するようになる。再び、ノブ１８を手指で把持してカバー５を持ち上げ押圧解除すると、ブラシ１１は元に戻る。ブラシ１１は、略直方体状に形成されているので、押圧力を確実に発生させることができる。この場合、１回当たりのブラシ１１の撓みは僅かなので、ロールＷの正転は僅かであるが、カバー５の押圧及び押圧解除を繰り返し行うようにすると、ロールＷは僅かずつでも正転していく。このため、トイレットペーパＳの先端Ｓａ側が引込んで引出しにくくなっても、カバー５を片手で押圧及び押圧解除するだけで、容易にトイレットペーパＳの先端Ｓａ側を引出すことができるようになり、操作性が極めてよくなる。また、この際には、ノブ１８を手指で把持してカバー５を持ち上げ、ノブ１８を持ったままカバー５を押圧すると、持ち上げた際に、一旦、ブラシ１１がロールＷから離間しその移動ストロークが大きくなるとともに、ブラシ１１に生じるロールＷを正転方向に回転させる力を大きくすることができるので、それだけ、確実にロールＷの回転を行わせることができるようになる。カバー５の押圧及び押圧解除を繰り返し行うようにすると、スピーディーにロールＷの回転を行わせることができる。この場合、ノブ１８を持ってカバー５の押圧及び押圧解除を行うことができるので、操作性が極めてよくなる。
【００３０】
また、例えば、ノブ１８を手指で把持してカバー５を持ち上げてノブ１８を離すと、カバー５が落下してブラシ１１の先端側がロールＷの表面に衝止するとともにカバー５がその慣性力によりロールＷ側に押圧されてブラシ１１が撓み、このブラシ１１の衝撃力と毛１２の撓みによる弾性力により、ロールＷを正転方向に回転させることができる。衝撃力が加わるので、ブラシ１１に生じるロールＷを正転方向に回転させる力を大きくすることができ、確実にロールＷの回転を行わせることができるようになる。カバー５を持ち上げて離すことを繰り返し行うようにすると、スピーディーにロールの回転を行わせることができる。この場合も、ノブ１８を把持して操作を行うことができるので、操作性が極めてよくなる。
【００３１】
また、図４に示すように、必ずしもノブ１８を用いずに、カバー５自体を片手で繰り返し押圧及び押圧解除することでも良い。図４に示すように、カバー５をロールＷ側に手で押圧すると、ブラシ１１の先端１２ｂ側がロールＷ表面に当接して毛１２がトイレットペーパＳの表面に係止するとともに、ブラシ１１は毛１２の基端１２ａがカバー５の後端側に位置し先端１２ｂがカバー５の前端縁５ａ側に位置するように毛１２が多数集合させられて形成されているので、ブラシ１１はＵ字状に撓んで屈曲する。そのため、この撓みによる毛１２の弾性力により、ロールＷを正転方向Ｒに回転させる力が生じ、ロールＷが僅かながら正回転するようになる。手を離して押圧を解除すると、ブラシ１１は元に戻る。ブラシ１１は、略直方体状に形成されているので、押圧力を確実に発生させることができる。この場合、１回当たりのブラシ１１の撓みは僅かなので、ロールＷの正転は僅かであるが、カバー５を叩くようにしてカバー５の押圧及び押圧解除を繰り返し行うようにすると、ロールＷは僅かずつでも正転していく。このため、トイレットペーパＳの先端Ｓａ側が引込んで引出しにくくなっても、カバー５を片手で押圧及び押圧解除するだけで、容易にトイレットペーパＳの先端Ｓａ側を引出すことができるようになり、操作性が極めてよくなる。
【００３２】
このように、本実施の形態では、ロール移動手段１０を、弾性変形可能なブラシ１１の機能だけで実現できるので、従来に比較して構造が極めて簡単になり、安価に提供でき、汎用性を向上させることができるのである。また、ブラシ１１を、カバー５の幅方向の長さＥより短い略直方体状にして、カバー５の幅方向中央に設けたので、ブラシ１１をカバー５の幅方向に沿ってカバー５の幅方向長さ分設ける場合に比較して、ブラシ１１の幅が少なくて済むので、より一層安価に作成することができる。
【００３３】
図５には、ブラシ１１の取付けの別の例を示す。これは、ブラシ１１を、ブラシ１１のカバー５の幅方向に沿う長さをカバー５の幅方向の長さＥより短くして形成し、カバー５の幅方向に沿って複数（図では４つ）設けた構成としている。ブラシ１１をカバー５の幅方向に沿ってカバー５の幅方向長さ分設ける場合に比較して、幅が少なくて済むので、より一層安価に作成することができる。また、ロールＷを幅方向に均一に押圧することができる。
【００３４】
図６には、ブラシ１１の変形例を示す。このブラシ１１は、毛１２を略円柱状になるように集合させて構成されている。
【００３５】
尚、上記実施の形態では、ブラシ１１を、略直方体状または略円柱状になるように形成したが、必ずしもこれに限定されるものではなく、種々の形状に形成して良く、適宜変更して差支えない。また、ブラシ１１はカバー５の幅方向に沿ってカバー５の幅方向長さ分設けても良く、適宜変更して差支えない。更に、基板１５の形状や大きさも上記に限定されるものではなく、適宜変更して差支えない。更にまた、上記実施の形態では、ロール移動手段１０を、市販のホルダにロール移動アタッチメントＴを取り付けることで構成したが、必ずしもこれに限定されるものではなく、図７に示すように、ロール移動アタッチメントＴによらずに、カバー５の前端縁５ａの位置を突出させて切断刃２０として構成し、このカバー５にブラシ１１を基板２１を介して直接設け、ノブ１８は予めカバー５に付設した専用のホルダとして構成しても良く、適宜変更して差支えない。この場合、ブラシ１１の毛１２を基板２１に植設して基板２１を付設しても良く、あるいは、基板２１を設けることなく、カバー５に毛１２を直接植設するようにしても良い。また、ノブ１８は設けなくても良いことは勿論である。
【００３６】
尚また、上記実施の形態に係るトイレットペーパロールホルダＨにおいて、支持棒４は、左右一対の短い突出体で構成されているが、必ずしもこれに限定されるものではなく、図７（ａ）に示すように、基台１に着脱可能な、軸心のある１本の円柱棒状のもので構成されても良い。また、ロールＷも上述の芯材のあるロールＷに限定されるものではなく、図７（ｂ）に示すように、上記のＪＩＳ規格とは異なり、芯材がなく中心孔Ｗｈもその直径が８ｍｍ程度のものであっても良い。この場合には、トイレットペーパロールホルダＨは、支持棒４が１本の棒状に形成される。要するに、本発明は、上述した本発明の実施の形態に限定されず、当業者は、本発明の新規な教示及び効果から実質的に離れることなく、これら例示である実施の形態に多くの変更を加えることが容易であり、これらの多くの変更は本発明の範囲に含まれる。
【符号の説明】
【００３７】
Ｈ  トイレットペーパロールホルダ
Ｗ  ロール
Ｗｈ  中心孔
Ｓ  トイレットペーパ
Ｓａ  先端
１  基台
２  背板
３  起立板
４  支持棒
５  カバー
５ａ  前端縁
Ｑ  中心軸
１０  ロール移動手段
１１  ブラシ
１２  毛
１２ａ  基端
１２ｂ  先端
１５  基板
１６  前端縁
１７  切断刃
１８  ノブ
Ｔ  ロール移動アタッチメント
Ｔａ  ブラシ部材
Ｔｂ  ノブ部材
２０  切断刃
２１  基板
【図１】
2020116031.tif 000003
【図２】
2020116031.tif 000004
【図３】
2020116031.tif 000005
【図４】
2020116031.tif 000006
【図５】
2020116031.tif 000007
【図６】
2020116031.tif 000008
【図７】
2020116031.tif 000009
【図８】
2020116031.tif 000010